Podtech/llm-jp-corpus-v4-ja_patent huggingface dataset:
【手続補正書】
【提出日】平成20年8月22日(2008.8.22)
【手続補正１】
【補正対象書類名】明細書
【補正対象項目名】特許請求の範囲
【補正方法】変更
【補正の内容】
【特許請求の範囲】
【請求項１】
インクを収納するインク収納部と、
インクの吐出口を有するヘッドと、
前記吐出口からインクを吸引して前記ヘッドのメンテナンスを行う吸引手段とを有するインクジェットプリンタであって、
前記吸引手段による吸引を開始する前の前記インク収納部のインク残量が、前記吸引手段の一度の吸引によって吸い込まれるインク量よりも少ない場合には、前記吸引手段による吸引を開始することなく、吸引を禁止することを特徴とするインクジェットプリンタ。
【請求項２】
インクを収納するインク収納部と、
インクの吐出口を有するヘッドと、
前記吐出口からインクを吸引して前記ヘッドのメンテナンスを行う吸引手段とを有するインクジェットプリンタであって、
前記吸引手段による吸引を開始する前の前記インクタンク収納部のインク残量に関する情報に基づいて、前記吸引手段による吸引を開始するか、または、前記吸引手段による吸引を開始することなく、吸引を禁止するかの選択を行うことを特徴とするインクジェットプリンタ。
【請求項３】
インクを収納するインク収納部と、
前記インク収納部に収納されたインク残量に関する情報を検知するインク残量検知手段と、
インクの吐出口を有するヘッドと、
前記吐出口からインクを吸引して前記ヘッドのメンテナンスを行う吸引手段と、
前記吸引手段による吸引を制御する吸引制御手段とを有するインクジェットプリンタにおいて、
前記吸引制御手段は、前記吸引手段による吸引を開始する前に、前記インク残量検知手段により検知されたインク残量に関する情報に基づいて、前記吸引手段による吸引を開始するか、または、前記吸引手段による吸引を開始することなく、吸引を禁止するかの制御を行うことを特徴とするインクジェットプリンタ。
【請求項４】
前記インク収納部は、交換自在に備えられるインクカートリッジと前記ヘッドとの間に設けられたサブタンクであることを特徴とする請求項１乃至３のいずれかに記載のインクジェットプリンタ。
【請求項５】
インクを収納するインク収納部と、
インクの吐出口を有するヘッドと、
前記吐出口からインクを吸引して前記ヘッドのメンテナンスを行う吸引手段とを有するインクジェットプリンタのメンテナンス方法において、
前記吸引手段による吸引を開始する前の前記インク収納部のインク残量が、前記吸引手段の一度の吸引によって吸い込まれるインク量よりも少ない場合には、前記吸引手段による吸引を開始することなく、吸引を禁止することを特徴とするインクジェットプリンタのメンテナンス方法。
【手続補正２】
【補正対象書類名】明細書
【補正対象項目名】０００６
【補正方法】変更
【補正の内容】
【０００６】
【課題を解決するための手段】
請求項１記載の発明は、
インクを収納するインク収納部と、
インクの吐出口を有するヘッドと、
前記吐出口からインクを吸引して前記ヘッドのメンテナンスを行う吸引手段とを有するインクジェットプリンタであって、
前記吸引手段による吸引を開始する前の前記インク収納部のインク残量が、前記吸引手段の一度の吸引によって吸い込まれるインク量よりも少ない場合には、前記吸引手段による吸引を開始することなく、吸引を禁止することを特徴としている。
【手続補正３】
【補正対象書類名】明細書
【補正対象項目名】０００７
【補正方法】変更
【補正の内容】
【０００７】
請求項１記載の発明によれば、吸引を開始する前のインク収納部のインク残量が、吸引手段の一度の吸引によって吸い込まれるインク量よりも少ない場合には、吸引手段による吸引を開始することなく、吸引を禁止するので、吸引途中にインクがなくなることを防止できる。したがって、空吸引が行われることを防止できる。
そして、この構成であれば、吸引途中で、吸引が停止させられることはない。つまり、従来の吸引を途中で停止させるもののように、インクカートリッジの交換後に、再び初めから吸引を行うといった、吸引の重複を防止できるので、復帰時の時間やインクが無駄になることなく、効率的にメンテナンスを行うことができる。
【手続補正４】
【補正対象書類名】明細書
【補正対象項目名】０００８
【補正方法】変更
【補正の内容】
【０００８】
さらに、インク収納部のインク残量が、吸引手段の一度の吸引によって吸い込まれるインク量よりも少なければ、吸引を開始することなく、吸引を禁止するので、ユーザーはインク残量を気にしなくとも、停止された際にインクカートリッジを交換すればよく、ユーザーの負担を軽減することができる。
【手続補正５】
【補正対象書類名】明細書
【補正対象項目名】００１６
【補正方法】変更
【補正の内容】
【００１６】
請求項５記載の発明に係るインクジェットプリンタのメンテナンス方法は、
インクを収納するインク収納部と、
インクの吐出口を有するヘッドと、
前記吐出口からインクを吸引して前記ヘッドのメンテナンスを行う吸引手段とを有するインクジェットプリンタのメンテナンス方法において、
前記吸引手段による吸引を開始する前の前記インク収納部のインク残量が、前記吸引手段の一度の吸引によって吸い込まれるインク量よりも少ない場合には、前記吸引手段による吸引を開始することなく、吸引を禁止することを特徴としている。
【手続補正６】
【補正対象書類名】明細書
【補正対象項目名】００７０
【補正方法】変更
【補正の内容】
【００７０】
【発明の効果】
請求項１記載の発明によれば、吸引を開始する前のインク収納部のインク残量が、吸引手段の一度の吸引によって吸い込まれるインク量よりも少ない場合には、吸引手段による吸引を開始することなく、吸引を禁止するので、吸引途中にインクがなくなることを防止できる。したがって、空吸引が行われることを防止できる。
そして、この構成であれば、吸引途中で、吸引が停止させられることはない。つまり、従来の吸引を途中で停止させるもののように、インクカートリッジの交換後に、再び初めから吸引を行うといった、吸引の重複を防止できるので、復帰時の時間やインクが無駄になることなく、効率的にメンテナンスを行うことができる。
【手続補正７】
【補正対象書類名】明細書
【補正対象項目名】００７１
【補正方法】変更
【補正の内容】
【００７１】
さらに、インク収納部のインク残量が、吸引手段の一度の吸引によって吸い込まれるインク量よりも少なければ、吸引を開始することなく、吸引を禁止するので、ユーザーはインク残量を気にしなくとも、停止された際にインクカートリッジを交換すればよく、ユーザーの負担を軽減することができる。
【手続補正書】
【提出日】平成20年4月17日(2008.4.17)
【手続補正１】
【補正対象書類名】明細書
【補正対象項目名】図面の簡単な説明
【補正方法】変更
【補正の内容】
【図面の簡単な説明】
【図１】
本発明による測定装置の概略図である。
【図２】
図２ａ〜図２ｆは、図１に図示した標準器の種々の実施形態を示す図である。
【図３】
レシーバコイルシステムの斜視図である。
【図４】
単一エミッタ基本構造を示す。
【図５】
図３のレシーバコイル内に誘導される理想電圧を示すグラフである。
【図６】
図６ａは、理想的な２つの出力電圧のうちの一方の出力電圧を示すグラフである。図６ｂは、理想的な２つの出力電圧のうちの他方の出力電圧を示すグラフである。
【図７】
オフセットを含む信号を示すグラフである。
【図８】
図８ａは、エミッタコイルの巻線がセンサ走査面全体を覆っている単一エミッタ基本構造体を示す。図８ｂは、図８ａの単一エミッタ基本構造体に対する正弦要素Ｓ＋，Ｓ−の可能な配置を示す図である。図８ｃは、レシーバ平面内で非均一な磁場分布を示す図である。
【図９】
図９ａは、マルチエミッタ構造体を象徴的に示す。図９ｂは、マルチエミッタ構造体のコイルグループを示す図である。図９ｃは、要素コイル平面内の誘導を示す図である。図９ｄは、要素コイル平面内の誘導を示す図である。
【図１０】
図１０ａは、マルチエミッタ構造体の他の実施形態と、同じ誘導方向における磁場強さ分布とを示す図である。図１０ｂは、図１０ａのマルチエミッタ構造体の実施形態と、反対の誘導方向における磁場強さ分布とを示す図である。
【図１１】
複数のレシーバ要素と共に、単一エミッタ構造体を示す。
【図１２】
異なる巻線数を有する個々のコイル要素を示す図である。
【図１３】
図１３ａは、励磁場の強さに逆比例してレシーバコイル面を適合させたコイル要素を示す図である。図１３ｂは、レシーバコイル面を適合させた他のコイル要素を示す図である。
【図１４】
図１４ａは、単一エミッタ構造体の他の補償方法を示す。図１４ｂは、単一エミッタ構造体の他の補償方法を示す。
【図１５】
マルチエミッタ構造体を示す。
【図１６】
図１５のマルチエミッタ構造体の他の実施形態を示す。
【図１７】
図１５のマルチエミッタ構造体の他の実施形態を示す。
【図１８】
エミッタ構造体の軸測投象法の図である。
【図１９】
誘導方向が同じである場合と、誘導方向が逆の場合とにおける、２つのエミッターの構造横断面図と誘導観察とを示す図である。
【図２０】
図２０ａは、エミッタコイル形状を示す。図２０ｂは、他のエミッタコイル形状を示す。図２０ｃは、他のエミッタコイル形状を示す。
【図２１】
図２１ａは、エミッタ平面内での巻線の分布を示す図である。図２１ｂは、エミッタ平面内での巻線の他の分布を示す図である。
【図２２】
図２２ａは、測定方向におけるレシーバの形状と位置の実施形態を示す。図２２ｂは、測定方向におけるレシーバの形状と位置の他の実施形態を示す。図２２ｃは、測定方向におけるレシーバの形状と位置の他の実施形態を示す。図２２ｄは、測定方向におけるレシーバの形状と位置の他の実施形態を示す。
【図２３】
図２３ａは、標準器の実施形態を示す。図２３ｂは、標準器の他の実施形態を示す。図２３ｃは、標準器の他の実施形態を示す。
【図２４】
可変増幅係数を有する電子評価装置の入力段の動作増幅器によって、測定信号を処理するブロック図である。
【図２５】
付加的なコイルＡｋｏｍｐを示す。
【図２６】
他の付加的なコイルＡｋｏｍｐを示す。
【図２７】
個々のコイル平面の積層配置を示すもので、能動的なコイル平面の間および／または外側に設けられた大きな面積の金属製薄層平面を示す。
【図２８】
コイル要素を示す。
【図２９】
マルチエミッタコイル構造体を示す。
【図３０】
本発明による長さ測定システムの回転形の実施形態を示す。
【手続補正書】
【提出日】平成20年4月23日(2008.4.23)
【手続補正１】
【補正対象書類名】明細書
【補正対象項目名】特許請求の範囲
【補正方法】変更
【補正の内容】
【特許請求の範囲】
【請求項１】 
ドームプレート（２８）の第１フランジ（５２）と燃焼器ライナ（１６，１８）の第２フランジ（５４）とを結合するための取付装置であって、
前記第１フランジ（５２）が配置される溝部（６２）を形成された取付けリング（５６）と、
前記取付けリング(５６)に固定されたリテーナ（７２）と、
を含み、
前記第２フランジ（５４）は、前記取付リング（５６）とリテーナ（７２）との間に係合可能であることを特徴とする取付装置。
【請求項２】 前記ドームプレート(２８)は前部表面を画定し、前記継手（３０，３２）は前記前部表面の主として後方に設置されることを特徴とする請求項１に記載の装置。
【請求項３】 前記第１フランジ（５２）は、前記前部表面の後方に偏位していることを特徴とする請求項２に記載の装置。
【請求項４】 前記取付けリング(５６)は、丸みのある上流に面する角部（７０）を有することを特徴とする請求項１乃至３のいずれか１項に記載の装置。
【請求項５】 前記第１及び第２フランジ（５２，５４）は、互いに平行に延びることを特徴とする請求項１乃至４のいずれか１項に記載の装置。
【請求項６】 第１フランジ（５２）を形成されたドームプレート（２８）と、
第２フランジ（５４）を形成された少なくとも１つの燃焼器ライナ（１６，１８）と、
前記第１及び第２フランジに接続される継手（３０、３２）と、
前記第１フランジ（５２）が配置される溝部（６２）を形成され、前記第２フランジ（５４）が係合する取付けリング（５６）と、
前記取付けリング（５６）に固定され前記第２フランジ（５４）と係合するリテーナ（７２）と、
を含むことを特徴とする燃焼器（１０）。
【請求項７】 前記ドームプレート（２８）は前部表面を画定し、前記継手（３０，３２）は前記前部表面の主として後方に設置されることを特徴とする請求項６に記載の燃焼器（１０）。
【請求項８】 前記第１フランジ（５２）は、前記前部表面の後方に偏位されていることを特徴とする請求項６又は７に記載の燃焼器（１０）。
【請求項９】 前記ドームプレート（２８）は、実質的に平坦であることを特徴とする請求項６乃至８のいずれか１項に記載の燃焼器（１０）。
【請求項１０】 前記ドームプレート（２８）の上流に設置される少なくとも１つの燃料噴射器（４２）をさらに含み、前記少なくとも１つの燃料噴射器（４２）は、前記ドームプレート（２８）に平行な向きに置かれかつ前記ドームプレート（２８）の直近にあることを特徴とする請求項６乃至９のいずれか１項に記載の燃焼器（１０）。
【手続補正書】
【提出日】平成20年4月16日(2008.4.16)
【手続補正１】
【補正対象書類名】明細書
【補正対象項目名】特許請求の範囲
【補正方法】変更
【補正の内容】
【特許請求の範囲】
【請求項１】
透明なディスプレイと、
オーブンに設置された前記ディスプレイを含んだ構造的フレームとを備え、
前記ディスプレイで情報を表示している際に、前記ディスプレイを通して前記オーブンのドアの背後にある物品を視認可能としていることを特徴とするオーブン用ドア。
【請求項２】
前記情報はレシピを含んでいることを特徴とする請求項１に記載のオーブン用ドア。
【請求項３】
前記情報はテキスト情報を含んでいることを特徴とする請求項１に記載のオーブン用ドア。
【請求項４】
前記情報はグラフィック情報を含んでいることを特徴とする請求項１に記載のオーブン用ドア。
【請求項５】
前記ディスプレイは、ホームネットワークから受信した情報を表示することを特徴とする請求項１に記載のオーブン用ドア。
【請求項６】
前記ディスプレイは、ピコネット・ネットワークから受信した情報を表示することを特徴とする請求項５に記載のオーブン用ドア。
【請求項７】
前記ピコネット・ネットワークは、ブルートゥース（ＢＬＵＥＴＯＯＴＨ）プロトコルに従っていることを特徴とする請求項６に記載のオーブン用ドア。
【請求項８】
前記ディスプレイは、有線ホームネットワークから受信した情報を表示することを特徴とする請求項１に記載のオーブン用ドア。
【請求項９】
前記有線ホームネットワークは、ホーム・ピーエヌエー（ＨｏｍｅＰＮＡ）規格に従っていることを特徴とする請求項８に記載のオーブン用ドア。
【請求項１０】
前記ディスプレイは、食品アイテムが料理されている間は、前記食品アイテムの視覚的な観察を可能とすることを特徴とする請求項１に記載のオーブン用ドア。
【請求項１１】
オーブン用ドアの透明なディスプレイ上に情報を表示するステップと、
前記ディスプレイで情報を表示している際に、ユーザに前記ディスプレイを通して前記オーブン内の物品を視認可能とするステップとを備えることを特徴とするオーブン用ドアの情報表示方法。
【請求項１２】
前記表示される情報はレシピに関するものであることを特徴とする請求項１１に記載のオーブン用ドアの情報表示方法。
【請求項１３】
前記ディスプレイに情報を表示するステップでは、ホームネットワークから受信した情報を表示することを特徴とする請求項１１に記載のオーブン用ドアの情報表示方法。
【請求項１４】
前記ディスプレイに情報を表示するステップでは、ピコネット・ネットワークから受信した情報を表示することを特徴とする請求項１３に記載のオーブン用ドアの情報表示方法。
【請求項１５】
前記ピコネット・ネットワークは、ブルートゥース・プロトコルに従っていることを特徴とする請求項１４に記載のオーブン用ドアの情報表示方法。
【請求項１６】
前記ディスプレイに情報を表示するステップでは、有線ホームネットワークから受信した情報を表示することを特徴とする請求項１１に記載のオーブン用ドアの情報表示方法。
【請求項１７】
前記有線ホームネットワークは、ホームピーエヌエー（ＨｏｍｅＰＮＡ）・プロトコルに従っていることを特徴とする請求項１６に記載のオーブン用ドアの情報表示方法。
【請求項１８】
オーブン用ドアの透明なディスプレイ上に情報を表示する手段と、
前記ディスプレイで情報を表示している際に、ユーザに前記ディスプレイを通して前記オーブン内の物品を視認可能とする手段と、
ホームネットワークを介して前記情報を受信する手段とを備えていることを特徴とするオーブン用ドアにおける情報表示装置。
【請求項１９】
前記表示される情報はレシピに関するものであることを特徴とする請求項１８に記載のオーブン用ドアにおける情報表示装置。
【請求項２０】
前記ホームネットワークは無線ホームネットワークであることを特徴とする請求項１８に記載のオーブン用ドアにおける情報表示装置。
【請求項２１】
前記無線ホームネットワークは、ピコネット・ネットワークであることを特徴とする請求項２０に記載のオーブン用ドアにおける情報表示装置。
【請求項２２】
前記ピコネット・ネットワークは、ブルートゥース・プロトコルに従っていることを特徴とする請求項２１に記載のオーブン用ドアにおける情報表示装置。
【請求項２３】
前記ホームネットワークは、有線ホームネットワークであることを特徴とする請求項１８に記載のオーブン用ドアにおける情報表示装置。
【請求項２４】
前記有線ホームネットワークは、ホームピーエヌエー（ＨｏｍｅＰＮＡ）・プロトコルに従っていることを特徴とする請求項２３に記載のオーブン用ドアにおける情報表示装置。
【請求項２５】
透明なディスプレイと、
オーブンに設置された前記ディスプレイを含んだ構造的フレームと、
ネットワークを介して外部装置と通信することができるように構成されたネットワークインターフェイス装置と、
電子レンジの操作および前記ネットワークによる通信を制御するための電子レンジのキーパッドとを備え、
前記ディスプレイは、前記ディスプレイで前記ネットワークインターフェイス装置を介して受信した情報を表示している際に、前記ディスプレイを通して前記オーブンのドアの背後にある物品を視認可能としていることを特徴とするオーブン用ドア。
【請求項２６】
電子レンジの制御装置およびネットワークインターフェースに電子レンジのキーパッドを接続するステップと、
オーブン用ドアの透明なディスプレイ上に情報を表示するステップと、
前記ディスプレイで情報を表示している際に、ユーザに前記ディスプレイを通して前記オーブン内の物品を視認可能とするステップとを備えることを特徴とするオーブン用ドアの情報表示方法。
【請求項２７】
電子レンジの制御装置およびネットワークインターフェースに電子レンジのキーパッドを接続する手段と、
オーブン用ドアの透明なディスプレイ上に情報を表示する手段と、
前記ディスプレイで情報を表示している際に、ユーザに前記ディスプレイを通して前記オーブン内の物品を視認可能とする手段とを備えていることを特徴とするオーブン用ドアにおける情報表示装置。
【請求項２８】
ホームネットワークを介して外部装置と通信することができるように構成されたホームネットワークインターフェイス装置を備えることを特徴とする請求項１に記載のオーブン用ドア。
【手続補正書】
【提出日】平成20年4月24日(2008.4.24)
【手続補正１】
【補正対象書類名】明細書
【補正対象項目名】特許請求の範囲
【補正方法】変更
【補正の内容】
【特許請求の範囲】
【請求項１】 燃焼火炎温度測定用の分光計（１００）であって、燃焼火炎からの光を受ける位置に配置される少なくとも２個の光検出器であって、それぞれの出力信号を発生するためのオーバーラップする異なる光応答帯域幅を持っている少なくとも２個の光検出器（１、２、３、４）と、前記少なくとも２個の光検出器のうちの第１の光検出器の第１の出力信号と前記少なくとも２個の光検出器のうちの第２の光検出器の第２の出力信号との差を求め、この差を前記第１及び第２の出力信号のうちの一方によって除算して正規化出力信号を求め、この正規化出力信号用いて燃焼火炎温度を決定するコンピュータ（３４）と、を含んでいる燃焼火炎温度測定用分光計。
【請求項２】 前記光検出器の各々がＯＨ発光帯から出力信号を発生する、請求項１記載の分光計。
【請求項３】 前記の第１及び第２の出力信号の差を求めることが、前記第１及び第２の出力信号のうちの大きい方の信号から前記第１及び第２の出力信号のうちの小さい方の信号を減算することよりなり、前記差を前記第１及び第２の出力信号のうちの一方によって除算することが、前記差を前記第１及び第２の出力信号のうちの大きい方の信号で除算することよりなる、請求項２記載の分光計。
【請求項４】 前記少なくとも２個の光検出器の各々がほぼ同じ最小又は最大光応答波長を有している、請求項１記載の分光計。
【請求項５】 さらに、前記少なくとも２個の光検出器の各々が異なる最小又は最大光応答波長を有するように前記光検出器の少なくとも１個の光検出器の波長応答性を変更する光学フィルタ（１２）を含んでいる、請求項１記載の分光計。
【請求項６】 前記コンピュータは、前記正規化出力信号用いて燃焼火炎温度を決定するためのルックアップ・テーブルを含んでいる、請求項１記載の分光計。
【請求項７】 前記少なくとも２個の光検出器の各々は、アルミニウム・ガリウム窒化物を含む第１の半導体層（１１４、２１４）と、前記第１の半導体層によって支持された第１のコンタクト・パッド（１２０、２２０）と、前記第１の半導体層によって支持された、アルミニウム・ガリウム窒化物を含む第２の半導体層（１１６、２１６）と、前記第１及び第２の半導体層によって支持された第２のコンタクト・パッド（１２４、２２４）と、を含み、前記少なくとも２個の光検出器のそれぞれの第１及び第２の半導体層は異なるレベルのアルミニウムを含んでいる、請求項１記載の分光計。
【請求項８】 燃焼火炎温度測定用の分光計（１００）であって、燃焼火炎からの光を受ける位置に配置される少なくとも２個の光検出器であって、ＯＨ発光帯からそれぞれの出力信号を発生するためのオーバーラップする異なる光応答帯域幅を持っている少なくとも２個の光検出器（１、２、３、４）と、前記少なくとも２個の光検出器のうちの第１の光検出器の第１の出力信号と前記少なくとも２個の光検出器のうちの第２の光検出器の第２の出力信号との差を求め、この差を前記第１の出力信号によって除算して正規化出力信号を求め、ルックアップ・テーブルを用いることにより前記正規化出力信号を用いて燃焼火炎温度を決定するためのるコンピュータ（３４）と、を含んでいる燃焼火炎温度測定用分光計。
【請求項９】 燃焼火炎温度を測定する方法であって、燃焼火炎からの光を検出して、オーバーラップする異なる光帯域幅を持つ燃焼火炎から少なくとも２つの出力信号を得る工程と、第１の出力信号と第２の出力信号との差を求める工程と、前記差を前記第１及び第２の出力信号のうちの一方によって除算して正規化出力信号を求める工程と、前記正規化出力信号を用いて燃焼火炎温度を決定する工程と、を含んでいる燃焼火炎温度測定方法。
【請求項１０】 前記少なくとも２つの出力信号がＯＨ発光帯から得られ、
前記第１及び第２の出力信号の差を求めることが、前記第１及び第２の出力信号のうちの大きい方の信号から前記第１及び第２の出力信号のうちの小さい方の信号を減算することよりなり、前記差を前記第１及び第２の出力信号のうちの一方によって除算することが、前記差を前記第１及び第２の出力信号のうちの大きい方の信号で除算することよりなり、
前記少なくとも２つの出力信号を得ることが、検出した光の少なくとも幾分かをフィルタリングすることを含んでおり、
前記燃焼火炎温度を決定することが、ルックアップ・テーブルを用いることを含んでいる、請求項９記載の方法。
【請求項１１】 燃焼火炎温度測定用の分光計（１００）であって、オーバーラップする異なる光帯域幅を持つＯＨ発光帯から燃焼火炎を表す少なくとも２つの出力信号を得る手段と、第１及び第２の出力信号の一方を他方から減算してセグメント信号を求める手段と、前記セグメント信号を前記第１の出力信号によって除算して正規化出力信号を求める手段と、前記正規化出力信号を用いて燃焼火炎温度を決定する手段と、を含んでいる燃焼火炎温度測定用分光計。
【手続補正書】
【提出日】平成20年3月26日(2008.3.26)
【手続補正１】
【補正対象書類名】明細書
【補正対象項目名】請求項１
【補正方法】変更
【補正の内容】
【請求項１】  遊技媒体を用いて遊技が可能であり、遊技により払出条件が成立したことに基づいて景品として景品遊技媒体を払出し、かつ、遊技媒体の貸出し条件が成立したことに基づいて貸し遊技媒体を払出す遊技機であって、
遊技の進行を制御する遊技制御手段と、
前記景品遊技媒体および前記貸し遊技媒体の払出を行なう払出手段と、
該払出手段を制御する払出制御手段と、
前記払出手段から払出された遊技媒体を計数するために設けられた検出手段であって、前記景品遊技媒体および前記貸し遊技媒体の両者を共に検出する兼用の遊技媒体検出手段とを備え、
前記遊技制御手段と前記払出制御手段とが双方向通信を行い、
前記遊技制御手段は、
前記払出条件の成立に基づいて払出される景品遊技媒体の数を特定可能な情報を記憶する払出数記憶手段と、
該払出数記憶手段に記憶されている払出数に基づいて前記払出制御手段に対し所定数の景品遊技媒体の払出数を特定可能な払出指令信号を出力する払出指令信号出力手段と、
前記払出数記憶手段に記憶されている払出数から前記払出指令信号により特定される払出数を減算する減算処理を行なう払出記憶数減算手段とを含み、
前記払出制御手段は、
前記払出指令信号出力手段により出力されてきた前記払出指令信号により特定される払出数の景品遊技媒体を前記払出手段を制御して払出させる払出処理を実行する景品遊技媒体払出制御手段と、
該景品遊技媒体払出制御手段による払出処理の開始に基づいて払出処理実行信号を前記遊技制御手段へ出力する払出処理実行信号出力手段とを含み、
前記払出記憶数減算手段は、前記払出処理実行信号出力手段から前記払出処理実行信号が出力されてきたと判定したとき前記減算処理を行ない、
前記払出処理実行信号の出力があるときに前記遊技媒体検出手段の検出信号を景品遊技媒体の検出信号として遊技機外部へ出力するための処理を行う景品遊技媒体検出信号出力処理手段をさらに備えていることを特徴とする、遊技機。
【手続補正２】
【補正対象書類名】明細書
【補正対象項目名】００１０
【補正方法】変更
【補正の内容】
【００１０】
【課題を解決するための手段の具体例およびその効果】
（１）  遊技媒体（パチンコ玉、コイン）を用いて遊技が可能であり、遊技により払出条件（打玉の入賞）が成立したことに基づいて景品として景品遊技媒体（景品玉、景品コイン）を払出し、かつ、遊技媒体の貸出し条件（カードユニット５０からのＢＲＱ信号の立下がり）が成立したことに基づいて貸し遊技媒体を払出す遊技機（パチンコ遊技機、コイン遊技機、スロットマシン）であって、
遊技の進行を制御する遊技制御手段（主基板３１）と、
前記景品遊技媒体および前記貸し遊技媒体の払出を行なう払出手段（球払出装置９７）と、
該払出手段を制御する払出制御手段（払出制御基板３７）と、
前記払出手段から払出された遊技媒体を計数するために設けられた検出手段であって、前記景品遊技媒体および前記貸し遊技媒体の両者を共に検出する兼用の遊技媒体検出手段（払出カウントスイッチ３０１）とを備え、
前記遊技制御手段と前記払出制御手段とが双方向通信を行い（図２４）、
前記遊技制御手段は、
前記払出条件の成立に基づいて払出される景品遊技媒体の数を特定可能な情報を記憶する払出数記憶手段（ＲＡＭ５５における総賞球数格納バッファ：Ｓ２１９）と、
該払出数記憶手段に記憶されている払出数に基づいて前記払出制御手段に対し所定数の景品遊技媒体の払出数を特定可能な払出指令信号（払出個数信号）を出力する払出指令信号出力手段（Ｓ２３２に従って動作するＣＰＵ５６，出力回路６７）と、
前記払出数記憶手段に記憶されている払出数から前記払出指令信号により特定される払出数を減算する減算処理を行なう払出記憶数減算手段（Ｓ２６５に従って動作するＣＰＵ５６）とを含み、
前記払出制御手段は、
前記払出指令信号出力手段により出力されてきた前記払出指令信号により特定される払出数の景品遊技媒体を前記払出手段を制御して払出させる払出処理を実行する景品遊技媒体払出制御手段（Ｓ５４６、Ｓ７５６のプログラムに従って動作する払出制御用ＣＰＵ３７１）と、
該景品遊技媒体払出制御手段による払出処理の開始に基づいて払出処理実行信号（ＢＵＳＹ信号）を前記遊技制御手段へ出力する払出処理実行信号出力手段（Ｓ５４７のプログラムに従って動作する払出制御用ＣＰＵ３７１、出力回路３７３Ｂ）とを含み、
前記払出記憶数減算手段は、前記払出処理実行信号出力手段から前記払出処理実行信号が出力されてきたと判定したとき（Ｓ２６１によりＹＥＳの判断がなされＳ２６３によりＹＥＳの判断がなされたとき）前記減算処理を行ない（Ｓ２６５による減算処理を行ない）、
前記払出処理実行信号の出力があるときに前記遊技媒体検出手段の検出信号を景品遊技媒体の検出信号として遊技機外部へ出力するための処理を行う景品遊技媒体検出信号出力処理手段（ＡＮＤ回路３７６、賞球カウント信号を外部出力するための配線パターン等）をさらに備えていることを特徴とする。
【手続補正３】
【補正対象書類名】明細書
【補正対象項目名】００１１
【補正方法】変更
【補正の内容】
【００１１】
このような構成によれば、払出処理実行信号出力手段から払出処理実行信号が出力されてきたと判定した時点で払出記憶数減算手段が減算処理を行なうために、景品遊技媒体の払出処理の実行開始時に払出数記憶手段に記憶されている払出数から払出指令信号により特定される払出数が減算されることとなり、払出処理中に仮に払出制御手段の電源がオフにされてもその時点では既に払出数の記憶が減算された後であるために、繰返し景品遊技媒体を払出す動作を実行することがなく、不正行為の実行を防止することができる。
【手続補正書】
【提出日】平成20年2月27日(2008.2.27)
【手続補正１】
【補正対象書類名】明細書
【補正対象項目名】請求項１
【補正方法】変更
【補正の内容】
【請求項１】  遊技媒体を用いて遊技が可能であり、遊技により払出条件が成立したことに基づいて景品として景品遊技媒体を払出す遊技機であって、
遊技の進行を制御する遊技制御手段と、
前記景品遊技媒体の払出を行なう払出手段と、
該払出手段を制御する払出制御手段とを備え、
前記遊技制御手段と前記払出制御手段とが双方向通信を行い、
前記遊技制御手段は、
前記払出条件の成立に基づいて払出される景品遊技媒体の数を特定可能な情報を記憶する払出数記憶手段と、
該払出数記憶手段に記憶されている払出数に基づいて前記払出制御手段に対し所定数の景品遊技媒体の払出数を特定可能な払出指令信号を出力する払出指令信号出力手段と、
前記払出数記憶手段に記憶されている記憶情報から前記払出指令信号で特定された払出数に対応する値を減算する減算処理を行なう払出記憶数減算手段とを含み、
前記払出制御手段は、
前記払出指令信号出力手段により出力されてきた前記払出指令信号により特定された払出数の景品遊技媒体を前記払出手段を制御して払出させる払出処理を実行する景品遊技媒体払出制御手段と、
該景品遊技媒体払出制御手段による払出処理の開始に基づいて払出処理実行信号を前記遊技制御手段へ出力する払出処理実行信号出力手段とを含み、
前記払出記憶数減算手段は、前記払出処理実行信号出力手段から前記払出処理実行信号が出力されてきたと判定したとき前記減算処理を行なうことを特徴とする、遊技機。
【手続補正２】
【補正対象書類名】明細書
【補正対象項目名】０００８
【補正方法】変更
【補正の内容】
【０００８】
【課題を解決するための手段の具体例およびその効果】
（１）  遊技媒体（パチンコ玉、コイン）を用いて遊技が可能であり、遊技により払出条件（打玉の入賞）が成立したことに基づいて景品として景品遊技媒体（景品玉、景品コイン）を払出す遊技機（パチンコ遊技機、コイン遊技機、スロットマシン）であって、
遊技の進行を制御する遊技制御手段（主基板３１）と、
前記景品遊技媒体の払出を行なう払出手段（球払出装置９７）と、
該払出手段を制御する払出制御手段（払出制御基板３７）とを備え、
前記遊技制御手段と前記払出制御手段とが双方向通信を行い（図２４）、
前記遊技制御手段は、
前記払出条件の成立に基づいて払出される景品遊技媒体の数を特定可能な情報を記憶する払出数記憶手段（ＲＡＭ５５における総賞球数格納バッファ：Ｓ２１９）と、
該払出数記憶手段に記憶されている払出数に基づいて前記払出制御手段に対し所定数の景品遊技媒体の払出数を特定可能な払出指令信号（払出個数信号）を出力する払出指令信号出力手段（Ｓ２３２に従って動作するＣＰＵ５６，出力回路６７）と、
前記払出数記憶手段に記憶されている記憶情報から前記払出指令信号で特定された払出数に対応する値を減算する減算処理を行なう払出記憶数減算手段（Ｓ２６５に従って動作するＣＰＵ５６）とを含み、
前記払出制御手段は、
前記払出指令信号出力手段により出力されてきた前記払出指令信号により特定された払出数の景品遊技媒体を前記払出手段を制御して払出させる払出制御を実行する景品遊技媒体払出制御手段（Ｓ５４６、Ｓ７５６のプログラムに従って動作する払出制御用ＣＰＵ３７１）と、
該景品遊技媒体払出制御手段による払出処理の開始に基づいて払出処理実行信号（ＢＵＳＹ信号）を前記遊技制御手段へ出力する払出処理実行信号出力手段（Ｓ５４７のプログラムに従って動作する払出制御用ＣＰＵ３７１、出力回路３７３Ｂ）とを含み、
前記払出記憶数減算手段は、前記払出処理実行信号出力手段から前記払出処理実行信号が出力されてきたと判定したとき（Ｓ２６１によりＹＥＳの判断がなされＳ２６３によりＹＥＳの判断がなされたとき）前記減算処理を行なう（Ｓ２６５による減算処理を行なう）ことを特徴とする、遊技機。
【手続補正３】
【補正対象書類名】明細書
【補正対象項目名】０００９
【補正方法】変更
【補正の内容】
【０００９】
このような構成によれば、払出処理実行信号出力手段から払出処理実行信号が出力されてきたと判定した時点で払出記憶数減算手段が減算処理を行なうために、景品遊技媒体の払出処理の実行開始時に払出数記憶手段に記憶されている記憶情報から払出指令信号で特定された払出数に対応する値が減算されることとなり、払出処理中に仮に払出制御手段の電源がオフにされてもその時点では既に払出数の記憶が減算された後であるために、繰返し景品遊技媒体を払出す動作を実行することがなく、不正行為の実行を防止することができる。
【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
第一のＸ線エネルギ・レベルに応じて生成され、各々が走査対象内の一意の位置に対応している複数の第一のピクセル要素（４２）を含んでいる第一の画像データ集合（４０２）を取得する工程と、
前記第一のＸ線エネルギ・レベルよりも高い第二のＸ線エネルギ・レベルに応じて生成され、各々が一つの前記第一のピクセル要素（４２）に対応している複数の第二のピクセル要素（４２）を含んでいる第二の画像データ集合（４０４）を取得する工程と、
前記第一の画像データ集合（４０２）及び前記第二の画像データ集合（４０４）に応じて第三の画像データ集合（４０６）を算出する工程であって、各々の前記第二のピクセル要素（４２）を前記対応する第一のピクセル要素（４２）から減算する工程を含んでいる算出する工程とを備え、
前記第一の画像データ集合が硬組織及び軟組織石灰化プラークデータを含み、
前記第二の画像データ集合が硬組織石灰化プラークデータを含み、
前記第三の画像データ集合が軟組織石灰化プラークデータを含む、プラーク特徴評価の方法。
【請求項２】
各々の前記第二のピクセル要素（４２）は、各々の前記対応する第一のピクセル要素（４２）に近接した時間に生成される請求項１に記載の方法。
【請求項３】
各々の前記第二のピクセル要素（４２）及び各々の前記対応する第一のピクセル要素（４２）は、インタリーブ・パターンで同一回の走査において生成される請求項１に記載の方法。
【請求項４】
前記第一の画像データ集合（４０２）、前記第二の画像データ集合（４０４）及び前記第三の画像データ集合（４０６）を表示する工程をさらに含んでいる請求項１に記載の方法。
【請求項５】
前記第一の画像データ集合（４０２）、前記第二の画像データ集合（４０４）及び前記第三の画像データ集合（４０６）は非造影剤画像として生成されたものであり、
前記第一のＸ線エネルギ・レベルに応じて生成され、各々が前記第一のピクセル要素（４２）に対応している複数の第四のピクセル要素（４２）を含んでいる第四の画像データ集合（４０８）を取得する工程であって、該第四の画像データ集合（４０８）は造影剤画像として生成されたものである、取得する工程と、
前記第二のＸ線エネルギ・レベルに応じて生成され、各々が前記第四のピクセル要素（４２）に対応している複数の第五のピクセル要素（４２）を含んでいる第五の画像データ集合（４１０）を取得する工程であって、該第五の画像データ集合（４１０）は造影剤画像として生成されたものである、取得する工程と、
前記第四の画像データ集合（４０８）及び前記第五の画像データ集合（４１０）に応じて第六の画像データ集合（４１２）を算出する工程であって、各々の前記第五のピクセル要素（４２）を前記対応する第四のピクセル要素（４２）から減算する工程を含んでいる算出する工程とをさらに含んでいる請求項１に記載の方法。
【請求項６】
前記第四の画像データ集合（４０８）、前記第五の画像データ集合（４１０）及び前記第六の画像データ集合（４１２）を表示する工程をさらに含んでいる請求項５に記載の方法。
【請求項７】
所定のＸ線エネルギ・レベル、及び造影剤を注入された対象に応じて生成される画像データを取得する工程と、
前記対象内の関心のある血管の位置を求める工程と、
前記血管を通る前記造影剤の流れを追跡する工程と、
前記画像データ及び前記流れに応じて前記血管内の軟質プラークを識別する工程と、
前記軟質プラークの分布をプロットする工程と、
前記分布に応じて前記軟質プラークの不安定性を判定する工程とを備えたプラーク特徴評価の方法。
【請求項８】
対象に応じて第一の画像データ集合（４０２）及び第二の画像データ集合（４０４）を生成するイメージング・システム（１）であって、
前記第一の画像データ集合（４０２）は、第一のＸ線エネルギ・レベルに応じて生成されて、複数の第一のピクセル要素（４２）を含んでおり、
各々の前記第一のピクセル要素（４２）が、前記対象内の一意の位置に対応しており、
前記第一の画像データ集合が硬組織及び軟組織石灰化プラークデータを含み、
前記第二の画像データ集合（４０４）は、第二のＸ線エネルギ・レベルに応じて生成されて、複数の第二のピクセル要素（４２）を含んでおり、
各々の前記第二のピクセル要素（４２）が、一つの前記第一のピクセル要素（４２）に対応しており、
前記第二のＸ線エネルギ・レベルは第一のＸ線エネルギ・レベルよりも高く、
前記第二の画像データ集合が硬組織石灰化プラークデータを含む前記イメージング・システム（１）と、
前記イメージング・システム（１）と連絡し、前記イメージング・システム（１）から前記第一及び第二の画像データ集合（４０２、４０４）を取得し、各々の前記第二のピクセル要素（４２）を前記対応する第一のピクセル要素（４２）から減算することにより第三の画像データ集合（４０６）を算出する処理装置（３２）とを備え、
前記第三の画像データ集合が軟組織石灰化プラークデータを含む、プラーク特徴評価のシステム。
【請求項９】
処理回路により読み取り可能であり、該処理回路により実行される命令を記憶している記憶媒体を備えた心臓応用におけるプラーク（５１４）特徴評価のためのコンピュータ・プログラム・プロダクトであって、前記命令は、
第一のＸ線エネルギ・レベルに応じて生成され、各々が走査対象内の一意の位置に対応している複数の第一のピクセル要素（４２）を含んでいる第一の画像データ集合（４０２）を取得する工程と、
前記第一のＸ線エネルギ・レベルよりも高い第二のＸ線エネルギ・レベルに応じて生成され、各々が一つの前記第一のピクセル要素（４２）に対応している複数の第二のピクセル要素（４２）を含んでいる第二の画像データ集合（４０４）を取得する工程と、
前記第一の画像データ集合（４０２）及び前記第二の画像データ集合（４０４）に応じて第三の画像データ集合（４０６）を算出する工程であって、各々の前記第二のピクセル要素（４２）を前記対応する第一のピクセル要素（４２）から減算する工程を含んでいる算出する工程とを実行するための命令であり、
前記第一の画像データ集合が硬組織及び軟組織石灰化プラークデータを含み、
前記第二の画像データ集合が硬組織石灰化プラークデータを含み、
前記第三の画像データ集合が軟組織石灰化プラークデータを含む、
コンピュータ・プログラム・プロダクト。
【請求項１０】
処理回路により読み取り可能であり、該処理回路により実行される命令を記憶している記憶媒体を備えた心臓応用におけるプラーク特徴評価のためのコンピュータ・プログラム・プロダクトであって、前記命令は、
所定のＸ線エネルギ・レベル、及び造影剤を注入された対象に応じて生成される画像データを取得する工程と、
前記対象内の関心のある血管の位置を求める工程と、
前記血管を通る前記造影剤の流れを追跡する工程と、
前記画像データ及び前記流れに応じて前記血管内の軟質プラークを識別する工程と、
前記軟質プラークの分布をプロットする工程と、
前記分布に応じて前記軟質プラークの不安定性を判定する工程とを実行するための命令である、コンピュータ・プログラム・プロダクト。
【手続補正書】
【提出日】平成20年10月27日(2008.10.27)
【手続補正１】
【補正対象書類名】明細書
【補正対象項目名】特許請求の範囲
【補正方法】変更
【補正の内容】
【特許請求の範囲】
【請求項１】  遊技者に面する前面側において遊技盤の遊技領域を視認可能とする遊技領域視認窓を備え、その遊技領域視認窓の周囲に装飾部が設けられる遊技機であって、
前記装飾部は、前方へ向けて突出されかつ長さ方向に関してほぼ波状に起伏する稜線部を有するほぼ山形状に形成され、
さらに、前記装飾部の少なくとも山裾側のベース部が非透光性部分として形成されていることを特徴とする遊技機。
【請求項２】  前記装飾部の稜線部は、幅方向に関してほぼ波状にうねる形状に形成されていることを特徴とする請求項１に記載の遊技機。
【請求項３】  前記装飾部は、前記遊技領域視認窓を間にして左右両側部において前記稜線部が縦方向に延びるように配置されていることを特徴とする請求項１又は２に記載の遊技機。
【請求項４】  前記左右両側部の装飾部は、左右非対称状に形成されていることを特徴とする請求項３に記載の遊技機。
【請求項５】  前記装飾部の稜線部の付近には、その稜線部を含みかつ内部光源から発せられる光によって発光されるレンズ部材が配置されていることを特徴とする請求項１〜４のいずれか１つに記載の遊技機。
【手続補正書】
【提出日】平成20年10月27日(2008.10.27)
【手続補正１】
【補正対象書類名】明細書
【補正対象項目名】特許請求の範囲
【補正方法】変更
【補正の内容】
【特許請求の範囲】
【請求項１】  遊技者に面する前面側において遊技盤の遊技領域を視認可能とする遊技領域視認窓を備え、その遊技領域視認窓の周囲に前方へ向けて突出されかつ稜線部を
備えた複数の装飾部が設けられている遊技機であって、
前記複数の装飾部は、それぞれその稜線部が突出高さ方向及び幅方向のうち少なくとも一方向に関して波状で、かつ互いに非類似の形状に形成されていることを特徴とする遊技機。
【請求項２】  遊技者に面する前面側において遊技盤の遊技領域を視認可能とする遊技領域視認窓を備え、その遊技領域視認窓を間にする左右両側部において前方へ向けて突出されかつ縦方向に延びる稜線部を備えた左側の装飾部及び右側の装飾部が設けられている遊技機であって、
前記左側の装飾部及び前記右側の装飾部は、それぞれその稜線部が突出高さ方向及び幅方向のうち少なくとも一方向に関して波状で、かつ互いに左右非対称の形状に形成されていることを特徴とする遊技機。
【請求項３】  複数の遊技機を左右に並べたときに、左側の遊技機における右側の装飾部の稜線部と、右側の遊技機における左側の装飾部の稜線部とが、互いに連続状をなすように形成されていることを特徴とする請求項２に記載の遊技機。
【請求項４】  前記複数の装飾部のうち少なくとも１つの装飾部は、内部光源から発せられる光によって発光されるレンズ部材を含んで形成されていることを特徴とする請求項１〜３のいずれか１つに記載の遊技機。
【請求項５】  前記複数の装飾部のうち少なくとも１つの装飾部は、当該装飾部の主体をなす非透光性材料により形成されたベース部材と、当該装飾部の稜線部を含んで形成されかつ内部光源から発せられる光によって発光されるレンズ部材とを備えていることを特徴とする請求項１〜３のいずれか１つに記載の遊技機。
【請求項６】  前記レンズ部材は、当該装飾部の稜線部に沿って延びかつ長さ方向に関して複数に分割されていることを特徴とする請求項５に記載の遊技機。
【手続補正書】
【提出日】平成20年7月3日(2008.7.3)
【手続補正１】
【補正対象書類名】明細書
【補正対象項目名】特許請求の範囲
【補正方法】変更
【補正の内容】
【特許請求の範囲】
【請求項１】
光源から発せられる光によって発光するレンズ部材を、遊技者に面する前面側に備えた遊技機であって、前記レンズ部材が、前方へ突出する稜線部をもつほぼ山形状でかつ前記稜線部に交差する方向に関して連続的に変化する偏肉構造の肉厚分布をもって形成されていることを特徴とする遊技機。
【請求項２】
前記レンズ部材の稜線部が突出高さ方向及び／又は幅方向に蛇行する波形状に形成されていることを特徴とする請求項１記載の遊技機。
【請求項３】
前記レンズ部材が空洞部を有していることを特徴とする請求項１または請求項２に記載の遊技機。
【請求項４】
前記光源は、異なった色に点灯する複数の光源体で構成されていることを特徴とする請求項１〜請求項３のいずれかに記載の遊技機。
【請求項５】
前記光源を拡散レンズで覆ったことを特徴とする請求項１〜請求項４のいずれかに記載の遊技機。
【手続補正２】
【補正対象書類名】明細書
【補正対象項目名】０００７
【補正方法】変更
【補正の内容】
【０００７】
また、本発明は、上記の他、次に記載する解決手段を有している。
［請求項２］  前記レンズ部材の稜線部が突出高さ方向及び／又は幅方向に蛇行する波形状に形成されていることを特徴とする請求項１に記載の遊技機。このように構成すると、レンズ部材の稜線部が一直線状の場合に比べ長くなるとともに、その稜線部が稜線部以外の外表面に比べて特有の発光態様を呈することにより、レンズ部材の稜線部を一層強調することができる。
【手続補正３】
【補正対象書類名】明細書
【補正対象項目名】０００８
【補正方法】変更
【補正の内容】
【０００８】
［請求項３］  前記レンズ部材が空洞部を有していることを特徴とする請求項１又は請求項２に記載の遊技機。このように構成すると、レンズ部材が中実状の場合に比べて軽量化される。
【手続補正４】
【補正対象書類名】明細書
【補正対象項目名】０００９
【補正方法】変更
【補正の内容】
【０００９】
［請求項４］  前記光源は、異なった色に点灯する複数の光源体で構成されていることを特徴とする請求項１〜請求項３のいずれかに記載の遊技機。このように構成すると、光源が単色の場合に比べて、複数の色の光が微妙に混ざり合うことにより、レンズ部材の発光の色合いを一層多様化することができる。
【手続補正５】
【補正対象書類名】明細書
【補正対象項目名】００１０
【補正方法】変更
【補正の内容】
【００１０】
［請求項５］  前記光源を拡散レンズで覆ったことを特徴とする請求項１〜請求項４のいずれかに記載の遊技機。このように構成すると、光源から発せられた光が拡散レンズで拡散されたうえでレンズ部材を発光することによって、そのレンズ部材の発光態様を一層多様化することができる。
【手続補正書】
【提出日】平成20年10月15日(2008.10.15)
【手続補正１】
【補正対象書類名】明細書
【補正対象項目名】特許請求の範囲
【補正方法】変更
【補正の内容】
【特許請求の範囲】
【請求項１】  遊技者に面する前面側において遊技盤の遊技領域を視認可能とする遊技領域視認窓を備える遊技機であって、前記遊技領域視認窓の輪郭形状が一部を絞った異形の円環状に形成されていることを特徴とする遊技機。
【請求項２】  前記遊技領域視認窓の輪郭形状が波状の曲線部を含んでいることを特徴とする請求項１に記載の遊技機。
【請求項３】  前記遊技領域視認窓の輪郭形状が左右方向に関して非対称状に形成されていることを特徴とする請求項１又は２に記載の遊技機。
【請求項４】  前記遊技領域視認窓の輪郭形状が上下方向に関して非対称状に形成されていることを特徴とする請求項１〜３のいずれか1項に記載の遊技機。
【請求項５】  前記遊技領域視認窓の輪郭形状が対角状に位置する膨出部を有していることを特徴とする請求項１〜４のいずれか1項に記載の遊技機。
【誤訳訂正書】
【提出日】平成20年1月7日(2008.1.7)
【誤訳訂正１】
【訂正対象書類名】明細書
【訂正対象項目名】００４３
【訂正方法】変更
【訂正の内容】
【００４３】
脂肪組織由来の間質細胞のサイトカイン発現プロフィールは、骨髄間質細胞において造血サイトカイン類を誘導することができる炎症性薬剤であるリポ多糖類（ＬＰＳ）またはエンドトキシンで誘導した後、決定される(Gimbel et al. (1989) Blood 74: 303-311)。２％のウシ胎児血清、１００μｇ／ｍｌのストレプトマイシン、１００単位／ｍｌのペニシリン、およびｐＨ７．２の７．５ｍＭのＨＥＰＥＳを加えたＤＭＥＭ培地中で、細胞の集密培養および静止培養を１００ｎｇ／ｍｌのＬＰＳに０〜２４時間曝露する。各培養から条件培地を回収し、−８０℃で保存する一方で、Chomczynski and Sacchiの方法(Anal. Biochem. (1987)162: 156-159参照)により、総ＲＮＡを回収する。表２に示したサイトカイン類に関するｍＲＮＡを、下表に記載のオリゴヌクレオチドプライマーセットを使用したポリメラーゼ連鎖反応で検出する。反応の代表的なセットを、図１に示す。下記のサイトカイン類は、酵素結合免疫検定法に基づいて、著明なＬＰＳ誘導可能な免疫反応性タンパク質の発現を示した。マクロファージコロニー刺激因子（Ｍ−ＣＳＦ）、顆粒球／単球コロニー刺激因子（ＧＭ−ＣＳＦ）、インターロイキン６、インターロイキン７、インターロイキン８（ＩＬ−６、ＩＬ−７、ＩＬ−８）。脂肪組織由来の間質細胞によるサイトカイン類発現のプロフィールは、ｉｎ ｖｉｔｒｏで、骨髄、リンパ、および破骨細胞の増殖および分化を支持することができる骨髄由来間質細胞のものと一致する（Pietrangeli et al. (1988) Eur. J. Immunol. 18:863-872、Gimble et al. (1989) Blood 74:303-311、Gimble et al. (1992) J. Cell Biochem 50: 73-82、 Kelly et al. (1998) Endocrinol. 2092-2101)。